(57)【要約】【課題】原稿サイズの検出ミスを防止することが可能な画像読取装置及び画像形成装置を提供することを目的とする。【解決手段】制御部１０は、基準角度検出部１０１が、カバーと原稿台との間でなす角度が基準角度となったことを検出したとき、発光ダイオード２２２の発光と、イメージセンサ２２９による画像データの取得とを同期して実行させる。サイズ検出部１００は、発光ダイオード２２２が点灯した状態でイメージセンサ２２９により取得された画像データを用いて原稿のサイズを検出する。【選択図】図５
2012119868.tif 000002
【特許請求の範囲】
【請求項１】
原稿を載置するための原稿台と、
前記原稿台の下に配置され、当該原稿台の下から当該原稿台に載置された原稿に対して光を照射する発光ダイオードと、
前記発光ダイオードによって照射された光が前記原稿に反射して生成された反射光を画像データとして取得するイメージセンサと、
前記原稿台に対して開閉自在に取り付けられており、前記原稿台を覆うカバーと、
前記カバーが前記原稿台に対して開状態から閉状態に変化する途中で、前記カバーと前記原稿台との間でなす角度が、予め定められた基準角度となったことを検出する基準角度検出部と、
前記基準角度検出部が、前記カバーと前記原稿台との間でなす角度が前記基準角度となったことを検出したとき、前記発光ダイオードの発光と、前記イメージセンサによる前記画像データの取得とを同期して実行させる制御部と、
前記発光ダイオードが点灯した状態で前記イメージセンサにより取得された前記画像データを用いて前記原稿のサイズを検出するサイズ検出部と、
を備えることを特徴とする画像読取装置。
【請求項２】
前記イメージセンサは、前記原稿台の幅以上の長さを読み取るラインセンサで構成されている
ことを特徴とする請求項１に記載の画像読取装置。
【請求項３】
前記制御部には、前記イメージセンサが前記画像データを取得するのに要する基準時間が予め設定されており、
前記制御部は、
前記発光ダイオードを発光させた後、前記基準時間が経過し、前記発光ダイオードが点灯した状態で前記イメージセンサにより前記原稿の画像データが取得されたとき、前記発光ダイオードを消灯させる
ことを特徴とする請求項１又は請求項２に記載の画像読取装置。
【請求項４】
前記制御部には、前記イメージセンサが前記画像データを取得するのに要する基準時間が予め設定されており、
前記制御部は、
前記発光ダイオードを発光させた後、前記基準時間が経過し、前記発光ダイオードが点灯した状態で前記イメージセンサにより前記原稿の画像データが取得されたときに、前記発光ダイオードを消灯させ、前記発光ダイオードが消灯した状態で前記イメージセンサにより取得された画像データを、前記イメージセンサに入射した外乱光を表す画像データとして取得し、
前記サイズ検出部は、前記発光ダイオードが点灯した状態で前記イメージセンサにより取得された画像データと、前記発光ダイオードが消灯した状態で前記イメージセンサにより取得された画像データとを用いて、前記原稿のサイズを検出する
ことを特徴とする請求項１又は請求項２に記載の画像読取装置。
【請求項５】
前記制御部は、
前記発光ダイオードが点灯した状態で前記イメージセンサにより取得された画像データのレベル値と、前記発光ダイオードが消灯した状態で前記イメージセンサにより取得された画像データのレベル値との差を取得して、当該差に基づいて前記原稿のサイズを検出する
ことを特徴とする請求項４に記載の画像読取装置。
【請求項６】
前記制御部には、前記イメージセンサが前記画像データを取得するのに要する基準時間が予め設定されており、
前記制御部は、前記基準時間が経過する毎に、前記イメージセンサにより前記原稿の画像データを取得し、前記基準角度検出部によって、前記カバーと前記原稿台との間の角度が前記基準角度となったことが検出されたとき、その直前に取得された原稿の画像データを、前記イメージセンサに入射した外乱光を表す画像データとして取得し、当該外乱光を表す画像データを、前記原稿のサイズの検出処理に用いる
ことを特徴とする請求項１乃至請求項５のいずれか１項に記載の画像読取装置。
【請求項７】
請求項１乃至請求項６のいずれか１項に記載の画像読取装置と、
前記画像読取装置によって得られた画像データを記録紙に形成する画像形成部と、
を備えることを特徴とする画像形成装置。
【発明の詳細な説明】
【技術分野】
【０００１】
本発明は、画像読取装置及び画像形成装置に関するものである。
【背景技術】
【０００２】
原稿台に載置された原稿の主走査方向のサイズを検出する方法として、例えば、原稿台に開閉自在に取り付けられたカバーが原稿台に対して開状態から閉状態に変化する途中で、原稿台の下から原稿に向けて光を照射して、その反射光に基づいて原稿の主走査方向のサイズを検出する方法が存在する。
【０００３】
かかる方法によれば、カバーが開いている状態で原稿台の下から光を照射するため、カバーからの光の反射がない状態で原稿の反射光が受光できる。これにより、原稿の反射光をカバーの反射光から区別することが可能となるので、原稿サイズの検出が可能となる。かかる方法を採用した画像形成装置が、特許文献１に例示されている。
【先行技術文献】
【特許文献】
【０００４】
【特許文献１】特開２０００−３２２２４号公報
【発明の概要】
【発明が解決しようとする課題】
【０００５】
ところで、原稿台の下から原稿に向けて光を照射するための光源としては、例えば、キセノンランプが用いられる。キセノンランプは、キセノンランプに電力を供給してから発光が安定するまで、ある程度の時間（例えば５０ｍｓ程度）を要する。
【０００６】
そのため、光源としてキセノンランプを用いる場合には、キセノンランプの発光が安定してから原稿の反射光信号を取得するようになっている。
【０００７】
この場合、ユーザがカバーを急速に閉じると、カバーが開いている間にキセノンランプの発光が安定せず、カバーが閉じた状態とされてから、原稿の反射光信号が取得されることがある。この場合、カバー裏面の反射光が原稿の反射光とともに取得されてしまうため、原稿の反射光とカバー裏面の反射光とを区別することができず、原稿サイズの検出ミスが生じる。
【０００８】
本発明は、上記の問題を解決するためになされたもので、原稿サイズの検出ミスを防止することが可能な画像読取装置及び画像形成装置を提供することを目的とする。
【課題を解決するための手段】
【０００９】
本発明の一局面に係る画像読取装置は、原稿を載置するための原稿台と、前記原稿台の下に配置され、当該原稿台の下から当該原稿台に載置された原稿に対して光を照射する発光ダイオードと、前記発光ダイオードによって照射された光が前記原稿に反射して生成された反射光を画像データとして取得するイメージセンサと、前記原稿台に対して開閉自在に取り付けられており、前記原稿台を覆うカバーと、前記カバーが前記原稿台に対して開状態から閉状態に変化する途中で、前記カバーと前記原稿台との間でなす角度が、予め定められた基準角度となったことを検出する基準角度検出部と、前記基準角度検出部が、前記カバーと前記原稿台との間でなす角度が前記基準角度となったことを検出したとき、前記発光ダイオードの発光と、前記イメージセンサによる前記画像データの取得とを同期して実行させる制御部と、前記発光ダイオードが点灯した状態で前記イメージセンサにより取得された前記画像データを用いて前記原稿のサイズを検出するサイズ検出部と、を備えることを特徴とする（請求項１）。
【００１０】
発光ダイオードは、電力が供給されたときには即座に安定して点灯し、電力の供給が停止されたときには即座に消灯するという特性を有する。つまり、発光ダイオードは、高速点灯性及び高速消灯性を有する。
【００１１】
この構成によれば、原稿台を覆うためのカバーが原稿台に対して開状態から閉状態に変化する途中で、カバーと原稿台との間でなす角度が予め定められた基準角度となったときには、制御部は、発光ダイオードの発光と、イメージセンサによる画像データの取得とを同期して実行させ、サイズ検出部は、発光ダイオードが点灯した状態でイメージセンサにより取得された画像データを用いて原稿のサイズを検出する。
【００１２】
これにより、カバーが閉じられている途中で当該カバーが原稿台に対して基準角度をなしたとき、発光ダイオードが点灯されると同時に原稿の画像データが取得されて、原稿のサイズが検出される。
【００１３】
その結果、カバーが急速に閉じられても、発光ダイオードが点灯した状態で原稿の画像データを取得できるので、原稿サイズの検出ミスが生じることを防止することが可能となる。
【００１４】
上記構成において、前記イメージセンサは、前記原稿台の幅以上の長さを読み取るラインセンサで構成されていることが好ましい（請求項２）。
【００１５】
この構成によれば、イメージセンサが、原稿台の幅以上の長さを読み取るラインセンサで構成されているため、主走査方向のサイズの上限を原稿台の幅方向の長さとする原稿について、主走査方向の１ライン分の画像データを取得することができる。
【００１６】
これにより、原稿の主走査方向のサイズを検出するのに必要最低限の画像データのみを取得して、原稿の主走査方向のサイズを検出することができる。
【００１７】
上記構成において、前記制御部には、前記イメージセンサが前記画像データを取得するのに要する基準時間が予め設定されており、前記制御部は、前記発光ダイオードを発光させた後、前記基準時間が経過し、前記発光ダイオードが点灯した状態で前記イメージセンサにより前記原稿の画像データが取得されたとき、前記発光ダイオードを消灯させることが好ましい（請求項３）。
【００１８】
この構成によれば、発光ダイオードが点灯した状態でイメージセンサにより原稿の画像データが取得されたときに、発光ダイオードを、当該発光ダイオードの高速消灯性により消灯させる。
【００１９】
これにより、イメージセンサにより原稿１ライン分の画像データが取得されている途中にのみ発光ダイオードが点灯するため、カバーが閉まっていない間の発光ダイオードの発光時間を短縮できる結果、ユーザが感じるまぶしさを低減させることができる。
【００２０】
上記構成において、前記制御部には、前記イメージセンサが前記画像データを取得するのに要する基準時間が予め設定されており、前記制御部は、前記発光ダイオードを発光させた後、前記基準時間が経過し、前記発光ダイオードが点灯した状態で前記イメージセンサにより前記原稿の画像データが取得されたときに、前記発光ダイオードを消灯させ、前記発光ダイオードが消灯した状態で前記イメージセンサにより取得された画像データを、前記イメージセンサに入射した外乱光を表す画像データとして取得し、前記サイズ検出部は、前記発光ダイオードが点灯した状態で前記イメージセンサにより取得された画像データと、前記発光ダイオードが消灯した状態で前記イメージセンサにより取得された画像データとを用いて、前記原稿のサイズを検出することが好ましい（請求項４）。
【００２１】
外乱光の影響を除去した原稿のサイズの検出を実現するに当たっては、カバーが原稿台に対して開状態から閉状態に変化するまでの間に、光源を消灯して外乱光分布を取得することが好ましい。しかしながら、光源としてキセノンランプを用いている場合には、当該キセノンランプは消灯までにある程度の時間（例えば１０ｍｓ程度）を要するため、カバーが急速に閉じられると、キセノンランプの消灯が、カバーが閉じられるのに追いつかないことがある。
【００２２】
この場合、外乱光分布の取得が、カバーが閉じられるまでには間に合わなくなり、外乱光の影響を除去した原稿サイズの検出処理を行うことが困難となる。
【００２３】
この構成によれば、制御部は、発光ダイオードを発光させた後、基準時間が経過し、発光ダイオードが点灯した状態でイメージセンサにより原稿の画像データが取得された後に、発光ダイオードを消灯させ、発光ダイオードが消灯した状態でイメージセンサにより取得された画像データを、イメージセンサに入射した外乱光を表す画像データとして取得し、サイズ検出部は、発光ダイオードが点灯した状態でイメージセンサにより取得された画像データと、発光ダイオードが消灯した状態でイメージセンサにより取得された画像データとを用いて、原稿のサイズを検出する。
【００２４】
これにより、制御部は、カバーが開状態から閉状態に変化する途中で、発光ダイオードを点灯させた状態で原稿の画像データを取得し、基準時間が経過すると、発光ダイオードの高速消灯性により即座に発光ダイオードを消灯させ、外乱光を表す画像データを取得する。
【００２５】
ここにおいて、基準時間は、イメージセンサが原稿１ライン分の画像データを取得するのに要する時間であるから、マイクロ秒単位である。これに対し、カバーが開状態から閉状態に変化するのに要する時間は、たとえカバーが急速に閉じられた場合であっても、秒あるいはミリ秒単位である。
【００２６】
その結果、カバーが急速に閉じられても、カバーが閉状態となるまでの間に、発光ダイオードを消灯させて、外乱光を表すデータを取得することができる。また、従来のように、カバーが開いている状態でイメージセンサに入射した外乱光をモニタするような煩雑な処理を行う必要がない。
【００２７】
上記構成において、前記制御部は、前記発光ダイオードが点灯した状態で前記イメージセンサにより取得された画像データのレベル値と、前記発光ダイオードが消灯した状態で前記イメージセンサにより取得された画像データのレベル値との差を取得して、当該差に基づいて前記原稿のサイズを検出することが好ましい（請求項５）。
【００２８】
この構成によれば、制御部は、発光ダイオードが点灯した状態でイメージセンサにより取得された画像データのレベル値と、発光ダイオードが消灯した状態でイメージセンサにより取得された画像データのレベル値との差を取得して、当該差に基づいて原稿のサイズを検出する。
【００２９】
これにより、外乱光の影響を除去した原稿サイズの検出処理が実現できる。
【００３０】
上記構成において、前記制御部には、前記イメージセンサが前記画像データを取得するのに要する基準時間が予め設定されており、前記制御部は、前記基準時間が経過する毎に、前記イメージセンサにより前記原稿の画像データを取得し、前記基準角度検出部によって、前記カバーと前記原稿台との間の角度が前記基準角度となったことが検出されたとき、その直前に取得された原稿の画像データを、前記イメージセンサに入射した外乱光を表す画像データとして取得して、当該外乱光を表す画像データを、前記原稿のサイズの検出処理に用いることが好ましい（請求項６）。
【００３１】
この構成によれば、制御部は、カバーと原稿台との間の角度が基準角度となるまでの間に取得された原稿の画像データを、外乱光を表す画像データとして取得する。
【００３２】
これにより、カバーが開いた状態で原稿台に原稿が載置されたとき、原稿の画像データが取得され、カバーと原稿台との角度が基準角度となったとき、当該画像データが外乱光を表す画像データとして取得される。その結果、カバーが急速に閉められても、外乱光を表す画像データを取得することができる。
【００３３】
また、本発明の他の局面に係る画像形成装置は、請求項１乃至請求項６のいずれか１項に記載の画像読取装置と、前記画像読取装置によって得られた画像データを記録紙に形成する画像形成部と、を備えることを特徴とする（請求項７）。
【００３４】
この構成によれば、先述の画像読取装置を備えるので、カバーが急速に閉じられたときに、原稿サイズの検出ミスが生じることを防止することが可能となる。
【発明の効果】
【００３５】
本発明によれば、カバーが急速に閉じられたときに、原稿サイズの検出ミスが生じることを防止することが可能となる。
【図面の簡単な説明】
【００３６】
【図１】本発明の一実施形態に係る画像読取装置を用いた画像形成装置の内部構成を模式的に示した縦断面図である。
【図２】画像形成装置の外観の一例について模式的に示した図である。
【図３】本発明の一実施形態に係る画像読取装置の外観の一例について模式的に示した図である。
【図４】カバー閉検出スイッチの動作について説明するための図である。
【図５】画像読取装置の機能モジュールの一例を示したブロック図である。
【図６】制御部の基本動作について説明するための図である。
【図７】制御部の処理の第１例を説明するためのタイムチャートである。
【図８】制御部の処理の第２例を説明するためのタイムチャートである。
【図９】制御部の処理の第３例を説明するためのタイムチャートである。
【発明を実施するための形態】
【００３７】
以下に、本発明に係る画像読取装置の一実施形態について説明する。図１は、本発明の一実施形態に係る画像読取装置を用いた画像形成装置の内部構成を模式的に示した縦断面図である。図２は、画像形成装置の外観の一例について模式的に示した図である。
【００３８】
画像形成装置１は、画像読取装置２００と画像形成本体部３とを備える。画像読取装置２００は、原稿給紙部２１０と、スキャナ本体２２０と、ＣＩＳ２３１と、スキャナ本体２２０の前面に露出するように配置されたユーザインタフェース部Ｉと、後述する反転機構を備えてなる。
【００３９】
原稿給紙部２１０は、ＡＤＦ（Ａｕｔｏｍａｔｉｃ  Ｄｏｃｕｍｅｎｔ  Ｆｅｅｄｅｒ）を備え、原稿トレイ２１１、ピックアップローラ２１２、プラテン２１３、排紙ローラ２１４及び排紙トレイ２１５を有する。
【００４０】
かかる原稿給紙部２１０は、画像形成装置１の奥側の点ａと点ｂとを結ぶ辺２１０Ａ（図２参照）を中心として回転して、ガラス２２１に対して開閉可能に構成されている。そして、原稿給紙部２１０は、ガラス２２１に対して閉状態とされたときには、ガラス２２１を覆うカバーとして機能する。
【００４１】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００４２】
前記プラテン２１３の周面に対向する位置のうち、原稿の搬送方向において読取位置Ｐより手前の予め定められた位置には、用紙を検出する図略のタイミングセンサが設置されており、該タイミングセンサの出力要求に基づき、前記読取位置Ｐへの原稿の搬送タイミングが図られる。前記タイミングセンサは、例えばフォトインタラプタにより構成される。
【００４３】
スキャナ本体２２０は、原稿の画像データを光学的に読み取って画像データを生成するものである。スキャナ本体２２０は、ガラス（原稿台）２２１、光源２２２、第１ミラー２２３、第２ミラー２２４、第３ミラー２２５、第１キャリッジ２２６、第２キャリッジ２２７、結像レンズ２２８、ＣＣＤ（Ｃｈａｒｇｅｄ  Ｃｏｕｐｌｅｄ  Ｄｅｖｉｃｅ）及びフォトダイオードからなるラインセンサ（イメージセンサ）２２９を備える。
【００４４】
尚、本実施形態では、光源２２２は、発光ダイオードで構成されている。また、ラインセンサ２２９は、ガラス２２１の主走査方向の長さ以上の長さを有しており、前記主走査方向の長さ以上の長さを読み取るセンサである。このラインセンサ２２９は、例えば、フォトダイオードを一列に並べ、これに並列にＣＣＤを配置することにより構成されている。
【００４５】
ラインセンサ２２９は、後述する読取指示信号を受け付けたとき、原稿１ライン分の画像データを読み取って、当該画像データを表す電荷を生成して出力する。そして、全電荷が出力し終わると、次の電荷の生成が可能となる。
【００４６】
スキャナ本体２２０では、光源２２２から照射された光が、ガラス２２１上の原稿に反射して反射光となり、この反射光が、第１ミラー２２３、第２ミラー２２４、第３ミラー２２５、第１キャリッジ２２６、第２キャリッジ２２７及び結像レンズ２２８により、ラインセンサ２２９に導かれる。
【００４７】
ガラス２２１には、前記原稿給紙部２１０によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００４８】
画像読取装置２００の原稿読取方式として、ガラス２２１上に載置された原稿をスキャナ本体２２０が読み取るフラットベッド読取モードと、原稿を原稿給紙部２１０（ＡＤＦ）によって取り込み、その搬送途中で原稿を読み取るＡＤＦ読取モードがある。
【００４９】
フラットベッド読取モード、及び、ＡＤＦ読取モードのいずれにおいても、原稿給紙部２１０は、ガラス２２１に対して閉状態とされる。
【００５０】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。
【００５１】
ラインセンサ２２９は一次元のイメージセンサであり、１ライン分の原稿の画像データを重複して処理する。第１キャリッジ２２６及び第２キャリッジ２２７は、主走査方向と直交する方向（副走査方向Ｙ）に移動可能に構成されており、１ライン分の読み取りが終了すると、副走査方向に第１キャリッジ２２６及び第２キャリッジ２２７が移動し、次のラインの読み取りが行われる。
【００５２】
ＡＤＦ読取モードでは、原稿給紙部２１０が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００５３】
原稿給紙部２１０による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。続いて原稿は原稿給紙部２１０によって搬送され、次のラインが読み取られる。
【００５４】
更に、原稿給紙部２１０は、切換ガイド２１６、反転ローラ２１７及び反転搬送路２１８を備えた反転機構を有する。この反転機構が、１回目のＡＤＦ読み取りによって表面が読み取られた原稿を表裏反転させて読取窓２３０に再搬送することで、再度ラインセンサ２２９によって裏面の読み取りが行われる。
【００５５】
この反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００５６】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、反転機構を用いて原稿の両面を読み取らせるモードを両面反転読取モードと表記する。
【００５７】
更に、本実施形態の画像読取装置２００は、ＡＤＦ読取モード時において、前述したように原稿の搬送途中でラインセンサ２２９（スキャナ本体２２０）によって原稿の表面の読み取りを行わせると略重複して（略並行して）、ＣＩＳ２３１によって原稿の裏面の読み取りを行わせることが可能である。この場合、原稿トレイ２１１から原稿給紙部２１０により搬送された原稿は、読取窓２３０上を通過するときにラインセンサ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００５８】
このようにラインセンサ２２９とＣＩＳ２３１を用いることで、原稿給紙部２１０による原稿トレイ２１１から排紙トレイ２１５までの一回の原稿搬送操作（ワンパス）によって原稿の表裏両面の読み取りが可能となる。
【００５９】
画像形成装置１は、画像形成本体部３と、画像形成本体部３の左方に配設されたスタックトレイ６とを有している。画像形成本体部３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像データを形成する画像形成部４０とを備える。また、画像形成本体部３は、給紙トレイ４７１と該給紙トレイ４７１に載置された原稿を１枚ずつ画像形成部４０に向けて繰り出す繰り出しローラ４７２とを備える。
【００６０】
画像形成部４０は、感光体ドラム４３の表面から残留電荷を除電する除電装置４２１と、除電後の感光体ドラム４３の表面を帯電させる帯電装置４２２と、スキャナ本体２２０で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像データが転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００６１】
なお、シアン、マゼンタ、イエロー及びブラックの各色の供給は、図略のトナーカートリッジから行われる。また、画像形成部４０を通過した記録紙をスタックトレイ６又は排出トレイ４８まで搬送する搬送ローラ４６３，４６４等が設けられている。
【００６２】
記録紙の両面に画像データを形成する場合は、画像形成部４０で記録紙の一方の面に画像データを形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像データを形成した後、記録紙をスタックトレイ６又は排出トレイ４８に排出する。
【００６３】
ユーザインタフェース部Ｉは、例えば、操作キー１８の操作によって、画像読取装置２００によって原稿の画像データを読み取り、画像形成部４０によって原稿の画像データを記録紙に形成するコピー機能が選択され、図示しないスタートキーが操作されたとき、コピー機能の実行指示を受け付ける。
【００６４】
図３は、本発明の一実施形態に係る画像読取装置２００の外観の一例について模式的に示した図である。図３に示す画像読取装置２００は、図２の画像形成装置１の辺２１０Ａ側から見た図である。
【００６５】
尚、原稿給紙部２１０、ガラス２２１、光源２２２、第１ミラー２２３、第２ミラー２２４、第３ミラー２２５、第１キャリッジ２２６、第２キャリッジ２２７、結像レンズ２２８、ラインセンサ２２９、及び読取窓２３０については、先述した通りであるため、説明を省略する。
【００６６】
画像読取装置２００には、第１キャリッジ２２６及び第２キャリッジを副走査方向に移動させるためのモータＭが配置されている。
【００６７】
また、画像読取装置２００では、辺２１０Ａ（図２参照）の近傍に、カバー閉検出スイッチ１２が配置されている。
【００６８】
カバー閉検出スイッチ１２は、原稿給紙部２１０の下面に押されてスイッチ本体１２１の内部に移動する移動部１２０と、移動部１２０が内部に沈み込むスイッチ本体１２１とを備える。そして、スイッチ本体１２１内の予め定められた深さに位置する部分には、移動部１２０に押されてオンする接点が内蔵されている。
【００６９】
カバー閉検出スイッチ１２は、移動部１２０がスイッチ本体１２１に予め定められた深さだけ沈み込めば、スイッチ本体１２１内の接点がオンとなることにより、電圧信号或いは電流信号を、原稿給紙部２１０とガラス２２１との間でなす角度が予め定められた基準角度θとなったことを表す信号として出力する。
【００７０】
図４は、カバー閉検出スイッチ１２の動作について説明するための図である。図４（ａ）は、原稿給紙部２１０とガラス２２１との間でなす角度が基準角度θを超える角度θ１である状態を示し、図４（ｂ）は、原稿給紙部２１０とガラス２２１との間でなす角度が基準角度θである状態を示す。尚、図中、ｄは、原稿給紙部２１０とガラス２２１との間の角度が基準角度θであるときに、移動部１２０の下端がスイッチ本体１２１内部に沈み込んでいると想定される深さである。
【００７１】
原稿給紙部２１０は、辺２１０Ａ（図２参照）を中心に回転して、開状態から閉状態に変化する。ここにおいて、開状態とは、例えば、原稿給紙部２１０の下面にカバー閉検出スイッチ１２の移動部１２０が当たっていない状態をいう。また、閉状態とは、原稿給紙部２１０の下面がガラス２２１を完全に覆った状態をいう。
【００７２】
そして、原稿給紙部２１０が、開状態から閉状態に変化するのに伴って、原稿給紙部２１０の下面にカバー閉検出スイッチ１２の移動部１２０の上端が当たり、移動部１２０が、下方向に押されて、スイッチ本体１２１の内部に沈み込む。
【００７３】
移動部１２０の下端が、図４（ｂ）に示すように、スイッチ本体１２１の内部の深さｄの位置にまで沈み込んだとき、スイッチ本体１２１内部の接点がオンとなり、原稿給紙部２１０とガラス２２１との間でなす角度が基準角度θであることを表す信号が出力される。
【００７４】
図５は、画像読取装置２００の機能モジュールの一例を示したブロック図である。
【００７５】
画像読取装置２００は、制御部１０、電源部１１、カバー閉検出スイッチ１２、光源２２２、及び、ラインセンサ２２９を備える。尚、光源２２２は、先述したように、発光ダイオードで構成されている。また、カバー閉検出スイッチ１２、光源２２２、及びラインセンサ２２９の詳細については、先述の通りであるため、説明を省略する。
【００７６】
制御部１０は、ＣＰＵ（Central Processing Unit）、ＲＡＭ（Random Access Memory）、ＲＯＭ（Read Only Memory）などで構成されている。
【００７７】
かかる制御部１０は、サイズ検出部１００及び基準角度検出部１０１を備える。サイズ検出部１００及び基準角度検出部１０１は、制御部１０が所定の制御プログラムを実行することにより実現される。
【００７８】
サイズ検出部１００は、ラインセンサ２２０から出力された、原稿１ライン分の画像データを表す電荷に基づいて、原稿の主走査方向のサイズを検出する。
【００７９】
基準角度検出部１０１は、カバー閉検出スイッチ１２から、原稿給紙部２１０とガラス２２１との間の角度が基準角度θであることを表す信号を受け付けて、原稿給紙部２１０とガラス２２１との間の角度が基準角度θであることを検出する。
【００８０】
電源部１１は、商用交流電力から光源２２２が点灯するのに必要な電力を生成し、制御部１０の制御を受け付けて、光源２２２に対する電力の供給をオンオフする。
【００８１】
以下、制御部１０の基本動作について、図６を用いて説明する。図６は、制御部１０の基本動作について説明するための図である。図６（ａ）は、原稿給紙部２１０が完全に閉状態となる前の画像読取装置２００の状態を示し、図６（ｂ）は、原稿給紙部２１０が完全に閉状態となる前に光源２２２を点灯させた状態でラインセンサ２２９により取得した、原稿１ライン分の画像データの濃度値（レベル値）の一例を示し、図６（ｃ）は、原稿給紙部２１０が完全に閉状態となる前に光源２２２を消灯させた状態でラインセンサ２２９により取得した、原稿１ライン分の画像データの濃度値（レベル値）の一例を示す。
【００８２】
尚、図６（ｂ）〜図６（ｄ）において、縦軸は、画像データの濃度値（レベル値）を表している。また、横軸は、１ライン分の各画素が配置される位置を表しており、横軸の左側が画像読取装置２００の手前側、横軸の右側が画像読取装置２００の奥側にそれぞれ対応している。
【００８３】
原稿給紙部２１０が完全に閉状態となる前の状態（図６（ａ）参照）では、ガラス２２１に向けて入射した外乱光は、ガラス２２１のうち原稿Ｐが載置されていない部分Ａ１を通過してラインセンサ２２９に到達するが、原稿Ｐが載置されている部分Ａ２を通過しない。
【００８４】
一方、ガラス２２１の下側からガラス２２１に向けて照射する光源２２２の光は、ガラス２２１のうち原稿Ｐが載置されていない部分Ａ１では反射せず、原稿Ｐが載置されている部分Ａ２で反射して、反射光がラインセンサ２２９に到達する。
【００８５】
これにより、光源２２２を点灯した状態では、ガラス２２１のうち部分Ａ１を外乱光が通過し、部分Ａ２を原稿Ｐの反射光が反射するので、ラインセンサ２２９は、部分Ａ１の下側の部分で外乱光を受光し、部分Ａ２の下側の部分で原稿Ｐの反射光を受光する。
【００８６】
これにより、光源２２２を点灯した状態では、図６（ｂ）の破線に示すように、ラインセンサ２２９に入射した外乱光を表す画像データＤ１が得られる。また、図６（ｂ）の実線で示すように、ラインセンサ２２９に入射した原稿Ｐの反射光を表す画像データＤ２が得られる。
【００８７】
制御部１０は、これらの画像データＤ１及びＤ２を、原稿Ｐの主走査方向のサイズを検出するための画像データとしてＲＡＭなどの記憶装置に記憶させる。
【００８８】
一方で、光源２２２を消灯した状態では、ラインセンサ２２９には、原稿Ｐの反射光が入射されずに、ガラス２２１のうち原稿Ｐが載置されていない部分Ａ１を通過した外乱光のみが入射されるので、図６（ｃ）の破線で示す画像データＤ１が得られる。
【００８９】
制御部１０は、この画像データＤ１を、外乱光を表す画像データとして、ＲＡＭなどの記憶装置に記憶させる。
【００９０】
サイズ検出部１００は、光源２２２を点灯した状態で制御部１０により記憶された画像データＤ１及びＤ２から、光源２２２を消灯した状態で制御部１０により記憶された画像データＤ１を減じる。これにより、図６（ｄ）に示すような、原稿Ｐの反射光を表す画像データＤ２のみが得られる。
【００９１】
サイズ検出部１００は、この画像データＤ２を用いて、原稿Ｐの主走査方向のサイズを検出する。
【００９２】
制御部１０は、以上の基本動作により原稿Ｐの主走査方向のサイズを検出する。以上の基本動作を前提として、制御部１０の処理の概要について、図７〜図９を用いて説明する。
【００９３】
図７は、制御部１０の処理の第１例を説明するためのタイムチャートである。
【００９４】
制御部１０は、ラインセンサ２２９に対して、原稿１ライン分の画像データを読み取り、当該画像データを表す電荷を制御部１０に向けて出力させるための読取指示信号を、基準時間Ｔが経過するごとに出力する。ここにおいて、基準時間Ｔは、ラインセンサ２２９が生成した、原稿１ライン分の画像データを表す電荷がすべて制御部１０に出力されるのに要する時間である。
【００９５】
制御部１０は、カバー閉検出スイッチ１２がオンされる直前、つまり、時間Ｔ３が到来する直前にラインセンサ２２９によって出力された、原稿１ライン分の画像データを、外乱光を表す画像データとして受け付けて記憶する。
【００９６】
例えば、カバー閉検出スイッチ１２がオンされた時間Ｔ３が到来する前には、図示はされていないが、複数回、ラインセンサ２２９により、原稿の１ライン分の画像データが取得されている。そして、制御部１０は、画像データが取得されるたびに当該画像データを順次更新する。そして、制御部１０は、カバー閉検出スイッチ１２がオンされたとき、その直前に更新した画像データを、外乱光を表す画像データとして受け付けて記憶する。
【００９７】
制御部１０は、カバー閉検出スイッチ１２がオンされたときには、カバー閉検出スイッチ１２がオンされた直後に読取指示信号が出力される時間Ｔ４に、光源２２２に電力を供給する。光源２２２は発光ダイオードで構成されており、高速点灯性を有するため、電力の供給がなされると即座に安定して点灯する。
【００９８】
これにより、原稿給紙部２１０とガラス２２１との間の角度が基準角度となったとき、ラインセンサ２２９への読取指示信号の出力と、光源２２２の点灯とが同時に実行される。
【００９９】
その結果、ラインセンサ２２９による原稿１ライン分の画像データの読み取りと、光源２２２の点灯とが同時に実行される。
【０１００】
そして、時間Ｔ４で出力された読取指示信号による画像データを、制御部１０は、原稿の主走査方向のサイズを検出するための画像データとして記憶する。そして、制御部１０は、適当な時期、例えば、原稿給紙部２１０が完全に閉状態とされた時間Ｔ５に、光源２２２への電力の供給を停止させる。
【０１０１】
以上のように、制御部１０は、カバー閉検出スイッチ１２がオンとされる直前にラインセンサ２２９により取得された原稿の画像データを、外乱光を表す画像データとして取得する。
【０１０２】
これにより、原稿給紙部２１０が開状態でガラス２２１に原稿が載置されたとき、原稿の画像データが取得され、原稿給紙部２１０とガラス２２１との角度が基準角度θとなったとき、当該画像データが、外乱光を表す画像データとして取得される。その結果、原稿給紙部２１０が急速に閉められても、外乱光を表す画像データを取得することができる。
【０１０３】
また、カバー閉検出スイッチ１２がオンとされたとき、光源２２２の点灯と、原稿の主走査方向のサイズ検出用の画像データの取得とを同時に実行する。
【０１０４】
これにより、原稿給紙部２１０が閉じられている途中で原稿給紙部２１０がガラス２２１に対して基準角度θをなしたとき、光源２２２が点灯されると同時に原稿の画像データが取得されて、原稿のサイズが検出される。
【０１０５】
その結果、原稿給紙部２１０が急速に閉じられても、光源２２２が点灯した状態で原稿の画像データを取得できるので、原稿サイズの検出ミスが生じることを防止することが可能となる。
【０１０６】
図８は、制御部１０の処理の第２例を説明するためのタイムチャートである。
【０１０７】
尚、図８において、時間Ｔ４から基準時間Ｔが経過した時間Ｔ６が到来するまでの処理は、図７と同様であるため、説明を省略する。
【０１０８】
制御部１０は、時間Ｔ４で開始した、原稿サイズ検出用の画像データの取得が完了する時間Ｔ６が到来したときには、光源２２２への電力の供給を停止させる。このとき、発光ダイオードの高速消灯性により、光源２２２が即座に消灯する。
【０１０９】
以上のように、制御部１０は、原稿の主走査方向のサイズ検出用の画像データの取得を開始した時間Ｔ４から、当該画像データの取得が完了する時間Ｔ６の間でのみ光源２２２を点灯させる。これにより、ユーザが感じるまぶしさを低減させることができる。
【０１１０】
図９は、制御部１０の処理の第３例を説明するためのタイムチャートである。
【０１１１】
制御部１０は、先述と同様に、ラインセンサ２２９に対して、原稿１ライン分の画像データを読み取り、当該画像データを表す電荷を制御部１０に向けて出力させるための読取指示信号を、基準時間Ｔが経過するごとに出力する。
【０１１２】
制御部１０は、カバー閉検出スイッチ１２がオンされたとき、すなわち、時間Ｔ７が到来したときには、カバー閉検出スイッチ１２がオンされた直後に読取指示信号が出力される時間Ｔ８に、光源２２２に電力を供給する。このとき、光源２２２は、発光ダイオードの高速点灯性により、即座に安定して点灯する。
【０１１３】
これにより、原稿給紙部２１０とガラス２２１との間の角度が基準角度となったとき、ラインセンサ２２９への読取指示信号の出力と、光源２２２の点灯とが同時に実行される。
【０１１４】
その結果、ラインセンサ２２９による原稿１ライン分の画像データの読み取りと、光源２２２の点灯とが同時に実行される。
【０１１５】
そして、制御部１０は、時間Ｔ８で出力された読取指示信号による画像データを、原稿の主走査方向のサイズを検出するための画像データとして記憶する。
【０１１６】
そして、制御部１０は、時間Ｔ８で原稿の画像データの読み取りが開始されてから、当該画像データの取得が完了する時間Ｔ９が到来すると、光源２２２への電力の供給を停止させる。このとき、発光ダイオードの高速消灯性により、光源２２２が即座に消灯する。
【０１１７】
時間Ｔ９では、ラインセンサ２２９は、光源２２２が消灯した状態で、原稿１ライン分の画像データを、外乱光を表す画像データとして取得する処理を開始する。制御部１０は、ラインセンサ２２９によって取得された、外乱光を表す画像データを記憶させる。
【０１１８】
以上のように、制御部１０は、カバー閉検出スイッチ１２がオンされたとき、光源２２２の点灯と、原稿の主走査方向のサイズ検出用の画像データの取得とを同時に実行する。これにより、原稿給紙部２１０が急速に閉じられても、原稿サイズの検出ミスが生じることを防止することが可能となる。
【０１１９】
そして、制御部１０は、時間Ｔ８から、原稿の主走査方向のサイズ検出用の画像データの取得に必要な基準時間Ｔが経過する時間Ｔ９までの間でのみ光源２２２を点灯させている。これにより、ユーザが感じるまぶしさを低減させることができる。
【０１２０】
そしてまた、制御部１０は、時間Ｔ８から、当該時間Ｔ８から基準時間Ｔが経過する時間Ｔ９までの間に、原稿の主走査方向のサイズ検出用の画像データを取得し、時間Ｔ９から基準時間Ｔが経過する時間Ｔ１０までの間に、外乱光を表す画像データを取得する。
【０１２１】
ここにおいて、基準時間は、ラインセンサ２２９が原稿１ライン分の画像データを取得するのに要する時間であるから、マイクロ秒単位である。これに対し、原稿給紙部２１０とガラス２２１との間の角度が、基準角度θとなる時間ｔ７から、０となるまでの時間は、たとえ原稿給紙部２１０が急速に閉じられた場合であっても、ミリ秒単位である。
【０１２２】
制御部１０が、原稿の主走査方向のサイズ検出用の画像データと、外乱光を表す画像データとを取得するのに要する時間は、マイクロ秒単位である２Ｔである。
【０１２３】
これにより、原稿給紙部２１０が急速に閉じられても、原稿給紙部２１０とガラス２２１との間の角度が基準角度θから０となるまでの間に、原稿の主走査方向のサイズ検出用の画像データと、外乱光を表す画像データとを取得することができる。
【符号の説明】
【０１２４】
１０    制御部
１００    サイズ検出部
１０１    基準角度検出部
１２    カバー閉検出スイッチ
２２０    原稿給紙部（カバー）
２２１    ガラス（原稿台）
２２２    光源（発光ダイオード）
２２９    ラインセンサ（イメージセンサ）
Ｔ    基準時間
【図１】
2012119868.tif 000003
【図２】
2012119868.tif 000004
【図３】
2012119868.tif 000005
【図４】
2012119868.tif 000006
【図５】
2012119868.tif 000007
【図６】
2012119868.tif 000008
【図７】
2012119868.tif 000009
【図８】
2012119868.tif 000010
【図９】
2012119868.tif 000011